(57)【要約】【課題】フリッカー光源の有無にかかわらず、良好な露出で撮影を行うことができる撮像装置を提供する。【解決手段】撮像素子と、被写体を測光する測光部と、測光部の出力に基づく測光値を用いて周囲の環境光のフリッカーの有無を検出する検出部と、測光部の出力に基づく測光値を用いて撮像素子の露出制御値を決定する決定部と、を備え、決定部は、検出部によりフリッカーが検出されたときにフリッカーの明暗の変化に対して所定のタイミングで撮像素子で撮像する第１の撮像制御の際の露出制御値と、第１の撮像制御とは異なる第２の撮像制御の際の露出制御値とを、異なる測光値を用いて決定する。【選択図】  図２
2015100090.tif 000002
【特許請求の範囲】
【請求項１】
撮像手段と、
被写体を測光する測光手段と、
前記測光手段の出力に基づく測光値を用いて周囲の環境光のフリッカーの有無を検出する検出手段と、
前記測光手段の出力に基づく測光値を用いて露出制御値を決定する決定手段と、を有し、
前記決定手段は、前記検出手段によりフリッカーが検出されたときにフリッカーの明暗の変化に対して所定のタイミングで前記撮像手段で撮像する第１の撮像制御の際の露出制御値と、前記第１の撮像制御とは異なる第２の撮像制御の際の露出制御値とを、異なる測光値を用いて決定することを特徴とする撮像装置。
【請求項２】
前記露出制御値を表示する表示手段をさらに備え、該表示手段は、前記第１の撮像制御が行われる場合と前記第２の撮像制御が行われる場合とで、表示する露出制御値を切り替えることを特徴とする請求項１に記載の撮像装置。
【請求項３】
前記第１の撮像制御と前記第２の撮像制御とを切り替える制御手段をさらに備え、該制御手段は、前記決定手段により決定された露光時間の、前記検出手段により検出されたフリッカーの周期に対する割合が所定値より小さい場合に、前記第１の撮像制御を行うことを特徴とする請求項１または２に記載の撮像装置。
【請求項４】
前記第１の撮像制御を行うか否かを手動で設定する設定手段をさらに備えることを特徴とする請求項１乃至３のいずれか１項に記載の撮像装置。
【請求項５】
前記検出手段は、前記測光手段に所定時間の蓄積を複数回行わせ、該複数回の蓄積から得られる測光値の変化に基づいて、フリッカーの有無を検出することを特徴とする請求項１乃至４のいずれか１項に記載の撮像装置。
【請求項６】
前記第１の撮像制御は、前記測光手段により検出されたフリッカーの測光値がピークになるタイミングで前記撮像手段で撮像することを特徴とする請求項５に記載の撮像装置。
【請求項７】
撮像手段と、被写体を測光する測光手段とを備える撮像装置を制御する方法であって、
前記測光手段の出力に基づく測光値を用いて周囲の環境光のフリッカーの有無を検出する検出工程と、
前記測光手段の出力に基づく測光値を用いて露出制御値を決定する決定工程と、を有し、
前記決定工程は、前記検出工程においてフリッカーが検出されたときにフリッカーの明暗の変化に対して所定のタイミングで前記撮像手段で撮像する第１の撮像制御の際の露出制御値と、前記第１の撮像制御とは異なる第２の撮像制御の際の露出制御値とを、異なる測光値を用いて決定することを特徴とする撮像装置の制御方法。
【請求項８】
請求項７に記載の制御方法の各工程をコンピュータに実行させるためのプログラム。
【請求項９】
請求項７に記載の制御方法の各工程をコンピュータに実行させるためのプログラムを記憶したコンピュータが読み取り可能な記憶媒体。
【発明の詳細な説明】
【技術分野】
【０００１】
本発明は、デジタルカメラに代表される撮像装置に関し、特に撮影時に発生する蛍光灯等による外光変化（一般的にはフリッカーと呼ばれる）による露光ムラの補正技術に関するものである。
【背景技術】
【０００２】
従来、撮像装置によるフリッカー光源下の撮影では、レリーズ前に行う測光動作において、測光センサーがフリッカーの影響を受けて測光結果が安定しないという問題があった。このような問題に対し、測光センサーの蓄積時間をフリッカーの発光周期の整数倍に制御するか、もしくは所定の時間間隔で間欠的に蓄積を行うことで、フリッカー環境下であっても、その平均的な明るさを、安定して測光可能としている。
【０００３】
一方、近年のデジタルカメラの高感度化に伴い、フリッカーの発生する人工光源下でも高速シャッターで撮影可能になってきている。室内スポーツの撮影などでブレのない写真を撮影できるメリットがある一方、フリッカー光源下での高速シャッター撮影では、フリッカーの影響により、フレーム毎に画像の明るさや色温度のバラツキが発生してしまうことがある。
【０００４】
このような問題に対して、特許文献１では、フリッカーを検出し、明暗の変化が最も少ない、フリッカーのピーク位置での露光を行うことで、フリッカーの影響を軽減している。
【先行技術文献】
【特許文献】
【０００５】
【特許文献１】特開平６−２０９４２７号公報
【発明の概要】
【発明が解決しようとする課題】
【０００６】
しかしながら、上述の特許文献１に開示された技術は、動画撮影を前提としたものであり、静止画撮影を考えた場合に同様のピーク位置での露光を行うと、フリッカーのタイミング次第でレリーズタイムラグが長くなってしまう。そこで、ピーク位置撮影を行う／行わないをユーザーが選択可能な構成にした場合、フリッカーのピーク位置撮影を行う場合と、そうでない場合とで、撮影に最適な露出条件が変わってしまう。
【０００７】
図６は一般的な、商用電源（５０Ｈｚ）の場合に発生するフリッカー環境下の測光出力である。フリッカーのピークで得られる測光値ＡＥ＿ｐｅａｋと、平均的な測光値ＡＥ＿ａｖｅにはΔの測光差がある。そのため、ピーク位置撮影を行う場合に、上述のようにＡＥ＿ａｖｅを元に算出した露出条件で撮影を行うと、Δだけ露出オーバーとなってしまう。また、測光完了後からレリーズまでの間に、測光結果から決定される露出条件を、ユーザーが確認できるよう表示する機能を有する場合も、ピーク位置撮影を行う場合と、行わない場合で、表示すべき適正露出条件が、変わってきてしまう。
【０００８】
本発明は上述した課題に鑑みてなされたものであり、その目的は、フリッカー光源の有無にかかわらず、良好な露出で撮影を行うことができる撮像装置を提供することである。
【課題を解決するための手段】
【０００９】
本発明に係わる撮像装置は、撮像手段と、被写体を測光する測光手段と、前記測光手段の出力に基づく測光値を用いて周囲の環境光のフリッカーの有無を検出する検出手段と、前記測光手段の出力に基づく測光値を用いて露出制御値を決定する決定手段と、を有し、前記決定手段は、前記検出手段によりフリッカーが検出されたときにフリッカーの明暗の変化に対して所定のタイミングで前記撮像手段で撮像する第１の撮像制御の際の露出制御値と、前記第１の撮像制御とは異なる第２の撮像制御の際の露出制御値とを、異なる測光値を用いて決定することを特徴とする。
【発明の効果】
【００１０】
本発明によれば、フリッカー光源の有無にかかわらず、良好な露出で撮影を行うことができる撮像装置を提供することが可能となる。
【図面の簡単な説明】
【００１１】
【図１】本発明の一実施形態に係るデジタル一眼レフカメラの断面図である。
【図２】一実施形態のカメラの動作を示すフローチャートである。
【図３】一実施形態のプラグラム線図である。
【図４】フリッカー検出動作時の測光出力を表す図である。
【図５】フリッカーのピーク測光値とそのタイミングの算出方法を説明する図である。
【図６】フリッカー環境下で得られる測光値を表す図である。
【発明を実施するための形態】
【００１２】
以下、本発明をデジタル一眼レフカメラに適用した一実施形態について、添付図面を参照して詳細に説明する。
【００１３】
図１（ａ）は本発明の一実施形態に係るデジタル一眼レフカメラの断面図である。図２（ａ）において１０１はカメラ本体であり、その前面には撮影レンズ１０２が装着される。撮影レンズ１０２は交換可能であり、またカメラ本体１０１と撮影レンズ１０２はマウント接点群１１２を介して電気的にも接続される。さらに撮影レンズ１０２の中には、絞り１１３が配置されており、カメラ内に取り込む光量を調整できるようになっている。また、フォーカシングレンズ１１６は光軸上を移動することで焦点調節を行う。
【００１４】
１０３はメインミラーであり、ハーフミラーとなっている。メインミラー１０３はファインダー観察状態では撮影光路上に斜設され、撮影レンズ１０２からの撮影光束をファインダー光学系へと反射する一方、透過光はサブミラー１０４を介してＡＦユニット１０５へと入射する。また撮影状態では撮影光路外に退避する。
【００１５】
ＡＦユニット１０５は位相差検出方式のＡＦセンサーである。位相差方式による焦点検出については公知の技術であるため、具体的な制御に関してはここでは省略するが概略的には次のような動作を行う。撮影レンズ１０２の二次結像面を焦点検出ラインセンサー上に形成することによって、撮影レンズ１０２の焦点調節状態を検出し、その検出結果をもとにフォーカシングレンズ１１６を駆動して自動焦点検出を行う。
【００１６】
１０８は撮像素子であり、１０６はローパスフィルター、１０７はフォーカルプレーンシャッターである。１０９はファインダー光学系を構成する撮影レンズ１０２の予定結像面に配置されたピント板であり、１１０はファインダー光路変更用のペンタプリズムである。１１４はアイピースであり、撮影者はここからピント板１０９を観察することによって、破線で示したように撮影画面を確認することができる。また１１１はＡＥセンサーであり、測光を行う際に使用する。ＡＥセンサー１１１は、実線で示したようにピント板からの光を受光することにより、被写体の明るさを測る（被写体を測光する）ことができる。さらに１１５は撮影情報表示用の内蔵ＬＣＤである。ユーザーがアイピース１１４を覗いている間も、露出条件など撮影に関連する情報を確認することができるよう、設置されるものである。図１（ａ）中の一点鎖線で示すように、アイピースから覗いた場合に、ユーザーから見て画面下側に各種情報を表示することができる。
【００１７】
ディスプレイユニット１１７は一般的には液晶パネルによって構成され、撮影者が撮影した画像や、撮像素子１０８で得られた画像信号をリアルタイムに表示することによって、被写体の様子を観察することができるようになっている。
【００１８】
図１（ｂ）は、本実施形態のデジタル一眼レフカメラを上から見た図である。１１９はレリーズボタンであり、半押し、全押しの状態を持つ二段押し込み式のスイッチである。レリーズボタン１１９が半押しされることによって、ＡＥ、ＡＦ動作などの撮影前の準備動作が行われ、全押しされることによって、撮像素子１０８が露光されて撮影処理が行われる。以下、半押しされた状態をＳ１がＯＮした状態、全押しした状態をＳ２がＯＮした状態、と記すことにする。また１１８は外付けＬＣＤであり、内蔵ＬＣＤ１１５と同様に、カメラの設定や露出条件など、撮影に関連する各種情報を表示するものである。
【００１９】
次に、本実施形態のデジタル一眼レフカメラの動作について図２のフローチャートを参照して説明する。
【００２０】
Ｓ１がＯＮされたことを受けてステップＳ３０１で測光動作を開始すると、ステップＳ３０２でＡＥユニット１１１を駆動して測光動作を行う。なお、測光に際しては、仮にフリッカー光源があった場合にも、周囲の環境光のフリッカーによる明暗の変化に対して測光値がばらつかないよう、フリッカーによる明暗の変化に合わせて変動する測光値の平均値を測光出力値として得られるようにする。これには、測光センサー１１１の蓄積時間を、フリッカーの周期の整数倍に設定すると、蓄積のタイミングに関わらず、一定の出力が得られることを利用する。ここで、フリッカー光源の明暗が変化する周波数は、商用電源の周波数の２倍になることから、電源周波数が５０Ｈｚの電源地域では周波数１００Ｈｚとなり、その発光周期は１０ｍｓとなる。同様に電源周波数が６０Ｈｚの地域では周波数１２０Ｈｚ、周期８.３３ｍｓとなる。つまり、例えばＡＥセンサー１１１の蓄積時間を、８.３３ｍｓと１０ｍｓの間の９ｍｓに設定すると、電源周波数が５０、６０Ｈｚのどちらであろうと、ほぼフリッカーの１周期分を蓄積することになるので、フリッカーがある場合でも、その平均値を測光することができる。ここで得られた測光値を元に、暫定の露出条件である絞り値ＡＶ１、シャッタースピードＴＶ１、ＩＳＯ感度ＩＳＯ１を決定する。ＡＶ１、ＴＶ１、ＩＳＯ１の決定に際しては、カメラ内部に予め記憶されたプログラム線図を利用して決定する。プログラム線図の例を図３に示す。図３はＩＳＯ１００の場合の例で、図３のようなプログラム線図と測光値が決まれば、ＡＶとＴＶが一意に決定される。
【００２１】
ステップＳ３０２で暫定露出制御値ＡＶ１、ＴＶ１、ＩＳＯ１が決定されると、ステップＳ３０３に進む。ステップＳ３０３では、フリッカー対策モードがＯＮになっているかを確認する。仮にフリッカーが検出された場合、この後の処理でフリッカーのピークに同期してレリーズするが（フリッカー軽減露光制御）、ピークに同期させるためには若干の待ち時間が発生する。そのため、フリッカー対策を行うと、レリーズタイムラグが長くなってしまうというデメリットがある。よって、本実施形態のカメラでは、ユーザーがフリッカー対策を行う／行わない、を設定できるようになっている。ステップＳ３０３では、フリッカー対策モードがＯＦＦである場合は、通常の撮影シーケンスであるステップＳ３１１に進み、ＯＮの場合はフリッカー対策シーケンスであるステップＳ３０４に進む。なお、本実施形態において、フリッカーのピークに同期してレリーズするというのは、露光期間の中心をフリッカー光源の光量がピークとなるタイミング近傍に合わせて露光することを表している。
【００２２】
ステップＳ３０４は、フリッカーの検出を行い、検出された場合には、その明暗の周期を検出し、ピーク同期信号を生成するステップである。これらを実現するため、蓄積時間１.６６ｍｓ（所定時間）の蓄積を連続して１２回行う（複数回行う）。仮に５０Ｈｚの商用電源のフリッカーが存在した場合の蓄積制御と出力測光値を図４（ａ）に示す。ｎ回目の蓄積を「蓄積ｎ」、蓄積ｎの結果の読み出しを「読み出しｎ」、読み出しｎの結果から得られる測光値を「ＡＥ（ｎ）」と記述することとし、図４（ａ）に示した。各測光値の取得時間に関しては、蓄積は有限の時間を持って行われるため、蓄積期間中の中央値で代表させた。なお、図４（ａ）では、ｎ＝１とｎ＝２のプロットのみ記載したが、ｎ＝３〜１２のプロットに関しても同様である。フリッカー発光周期は１０ｍｓであり、１０÷１.６６≒６であるから、図４（ａ）に示すように、蓄積のタイミングによらず、６回周期でほぼ同じ測光値が得られる。すなわち、ＡＥ（ｎ）＝ＡＥ（ｎ＋６）の関係となる。
【００２３】
同様に、商用電源６０Ｈｚ時のフリッカーは、発光周期が８.３３ｍｓであり、８.３３／１.６６≒５であるため、図４（ｂ）に示すように、５回周期でほぼ同じ測光値が得られ、ＡＥ（ｎ）＝ＡＥ（ｎ＋５）の関係となる。一方で、フリッカーがない環境下では、ｎによらずＡＥ（ｎ）はほぼ一定である。以上より、
【００２４】
【数１】
2015100090.tif 000003
【００２５】
として評価値Ｆ５０、Ｆ６０をそれぞれ定義し、所定の閾値Ｆ＿ｔｈを用いると、
（１）Ｆ５０＜Ｆ＿ｔｈ、かつ、Ｆ６０＜Ｆ＿ｔｈが成り立つ場合
⇒フリッカーなし
（２）Ｆ５０＜Ｆ＿ｔｈ、かつ、Ｆ６０≧Ｆ＿ｔｈが成り立つ場合
⇒発光周期Ｔ＝１０ｍｓ（電源周波数５０Ｈｚ）のフリッカー環境下
（３）Ｆ５０≧Ｆ＿ｔｈ、かつ、Ｆ６０＜Ｆ＿ｔｈが成り立つ場合
⇒発光周期Ｔ＝８.３３ｍｓ（電源周波数６０Ｈｚ）のフリッカー環境下
と判定することができる。また、パンニングや被写体が動いてしまったことによって、Ｆ５０とＦ６０の両方がＦ＿ｔｈを超えてしまう場合も考えられ。その場合は、Ｆ５０とＦ６０の大きさを比較し、Ｆ５０の方が小さい場合は発光周期Ｔ＝１０ｍｓ（電源周波数５０Ｈｚ）のフリッカー環境下、Ｆ６０の方が小さい場合は発光周期Ｔ＝８.３３ｍｓ（電源周波数６０Ｈｚ）のフリッカー環境下と判定する。すなわち、
（４）Ｆ５０≧Ｆ＿ｔｈ かつ Ｆ６０≧Ｆ＿ｔｈが成り立つ場合
Ｆ５０≦Ｆ６０⇒発光周期Ｔ＝１０ｍｓ（電源周波数５０Ｈｚ）のフリッカー環境下
Ｆ５０＞Ｆ６０⇒発光周期Ｔ＝８.３３ｍｓ（電源周波数６０Ｈｚ）のフリッカー環境下
とする。
【００２６】
さらにステップＳ３０４では、フリッカーが存在する場合はピーク同期信号を生成する。基本的には、得られた１２個の測光値を補間し、ピークを取る時間ｔ（ｐｅａｋ）を算出する処理である。図５（ａ）はピークタイミングを算出する方法の一例を説明する図である。ＡＥ（１）〜ＡＥ（１２）の中で最大の出力を得た点をＰ２（ｔ（ｍ）,ＡＥ（ｍ））とし、その１つ前の測光結果の点をＰ１（ｔ（ｍ−１）,ＡＥ（ｍ−１））、１つ後の測光結果の点をＰ３（ｔ（ｍ＋１）,ＡＥ（ｍ＋１））とする。ＡＥ（ｍ−１）とＡＥ（ｍ＋１）の小さい方を取る点（図５（ａ）の例ではＰ３）と点Ｐ２の２点を通る直線をＬ１＝ａｔ＋ｂとして求める。また、ＡＥ１とＡＥ３の大きい方を取る点（図５（ａ）の例ではＰ１）を通り、傾き−ａの直線をＬ２として、Ｌ１とＬ２の交点を求めると、ピークタイミングｔ（ｐｅａｋ）と、ピーク時の測光値ＡＥ（ｐｅａｋ）を算出することができる。また、ここまででフリッカーの発光周期Ｔも判明しているため、ｔ＝ｔ（ｐｅａｋ）＋ｎＴ（ｎは自然数）のタイミング毎に変化する図５（ｂ）のようなピーク同期信号を生成する。ステップＳ３０４でフリッカーの有無、フリッカー有りだった場合はその発光周期、ピーク測光値、およびピーク同期信号を生成したら、ステップＳ３０５へ進む。
【００２７】
ステップＳ３０５はＳ３０４で判定されたフリッカーの有無で分岐するステップである。フリッカーが検出されなかった場合は、通常の撮影シーケンスであるステップＳ３１１に進み、検出された場合はステップＳ３０６へ進む。
【００２８】
ステップＳ３０６は、暫定露出条件のシャッタースピードＴＶ１を評価するステップである。本実施形態では、撮影時の露光タイミングをフリッカーのピーク近傍に合わせることで、明るさの変動の少ない時間領域で露光を行う。そのため、シャッタースピードが非常に速い場合は有効であるが、シャッタースピードがフリッカー周期に対して長い場合は、明暗の変動が平均化され、もともと撮影画像に対してフリッカーの影響がほとんど出ないので、あまり有効ではない。そのため、所定の比率αをカメラ内に所持し、暫定のシャッタースピードＴＶ１とフリッカーの発光周期Ｔの比を評価する。すなわち、フリッカーの周期であるＴに対する露光時間ＴＶ１の割合であるＴＶ１／Ｔを所定値αと比較する。そして、
ＴＶ１／Ｔ＞α
を満たす場合は、シャッタースピードが発光周期Ｔに対して十分長く、撮影画像に対してフリッカーの影響が十分小さいとして通常の撮影シーケンスであるステップＳ３１１に進む。逆に、
ＴＶ１／Ｔ≦α
を満たす場合は、ピークに同期して露光を行う必要があるため、Ｓ３０７に進む。
【００２９】
なお、暫定のシャッタースピードＴＶ１とフリッカーの発光周期Ｔの比を評価する方法ではなく、ＴＶ１とフリッカーの発光周期Ｔの差を評価する方法であってもよい。あるいは、発行周期Ｔとは別の値を基準値にして、シャッタースピードＴＶ１との比を評価する方法やＴＶ１との差を評価する方法であってもよい。
【００３０】
ステップＳ３０７は、撮影時の露光タイミングをフリッカーのピーク近傍に合わせるピーク同期撮影を前提とし、測光値を見直すステップである。ここまでのシーケンスの暫定露出条件ＡＶ１、ＴＶ１、ＩＳＯ１は、ステップＳ３０２で取得したフリッカー光源の光量の平均値を測光した結果に基づくものである。それに対し、ピーク同期撮影では、フリッカーのピーク時に露光を行うため、測光もピーク時の測光値を用いるべきである。ピーク時の測光値はステップＳ３０４でＡＥ（ｐｅａｋ）として算出済みであるため、ＡＥ（ｐｅａｋ）と図３のプログラム線図より、新たな露出条件ＡＶ２、ＴＶ２、ＩＳＯ２を求め、これを正式な露出条件としてＳ３０７で設定する。
【００３１】
ここまでで正式な露出条件が確定したため、ステップＳ３０８では、内蔵ＬＣＤ１１５、外付けＬＣＤ１１８に、ＡＶ２、ＴＶ２、ＩＳＯ２を表示する。これによりユーザーは、ピーク同期撮影時でも適切な露出条件を撮影前に確認できる。そしてステップＳ３０９でユーザーからの露光指示であるＳ２信号を待ち、Ｓ２がＯＮされたことを受けたら、ステップＳ３０４で生成したピーク同期信号に同期させて、ＴＶ２を用いて露光を行う。ピークに同期して露光を行うことで、明暗の変動の少ないタイミングで露光が行われるので、フリッカーの影響の少ない撮影画像を、ピークの輝度に対して適切な露出条件で得ることができる。
【００３２】
ステップＳ３１１〜Ｓ３１４は、フリッカー対策を行わない場合の、通常の撮影シーケンスである。ステップＳ３１１では、暫定露出条件ＡＶ１,ＴＶ１、ＩＳＯ１を、正式な露出条件として確定する。Ｓ３１２、Ｓ３１３はＳ３０８、Ｓ３０９と同様であり、Ｓ３１４ではＳ２のＯＮでフリッカーのピークを待つことなく露光動作を行う。
【００３３】
以上のように、本実施形態では、フリッカー対策モードがＯＮ（第１の撮像制御）の際の露出制御値と、フリッカー対策モードがＯＦＦ（第２の撮像制御）の際の露出制御値とを、異なる測光値を用いて決定している。
【００３４】
なお、上記のフローチャートでは、Ｓ１がＯＮされたことを受けて測光動作を開始するが、Ｓ１がＯＮされなくても周期的に自動で測光動作を開始する構成であっても構わない。
【００３５】
また、上記のフローチャートでは、正式な露出条件が確定したあとにフリッカー対策モードのＯＮとＯＦＦが変更された場合については記載されていないが、モードが変更されたらＳ３０３に戻って以降の処理を行えばよい。
このように、フリッカー対策モードのＯＮとＯＦＦが変更されたことに応じて正式な露出条件を切り替えるので、フリッカー光源の有無にかかわらず、良好な露出で撮影を行うことができる。さらに、フリッカー対策モードのＯＮとＯＦＦが変更されたことに応じて表示させる露出条件を切り替えるので、フリッカー光源の有無にかかわらず、撮影時に用いられる露出条件をユーザーが正確に確認できる。そのため、ユーザーの意図する露出条件に変更することが容易であり、ユーザーにとって良好な露出で撮影を行うことができる。
【００３６】
また、上記の実施形態では、フリッカー対策モードで撮影時の露光タイミングをフリッカーのピーク近傍に合わせているが、ピーク近傍でなくてもフリッカーの影響を軽減できる所定のタイミングであればよい。例えば、フリッカー光源の光量の増減が変化するタイミングは、光量が最大となるタイミング（ピーク）と光量が最小となるタイミング（ボトム）の２つある。そのため、フリッカー対策モードで撮影時の露光タイミングをフリッカーのボトム近傍に合わせてもフリッカーの影響を軽減できる。
【００３７】
また、上記の実施形態では、測光方式について特に説明はないが、評価測光、スポット測光、平均測光など周知の測光方式から、手動または自動で測光方式が設定される構成でもよい。そのような構成において、フリッカー対策モードのＯＮとＯＦＦとで異なる測光方式が設定される場合、測光方式の違いも加味して露出条件を変更すればよい。例えば、フリッカー対策モードがＯＮのときは、スポット測光など局所的な測光値を求める測光方式ではフリッカーが精度よく検出できないため平均測光が自動で設定されるとする。フリッカー対策モードがＯＦＦのときはそのような制限がないため、平均測光以外の測光方式も設定される。このように、フリッカー対策モードがＯＮのときの測光方式を固定にする構成であれば、フリッカー対策モードがＯＦＦのときと測光方式が異りやすいので、上記のように測光方式の違いも加味して露出条件を変更することが好ましい。
【００３８】
以上、本発明の好ましい実施形態について説明したが、本発明はこれらの実施形態に限定されず、その要旨の範囲内で種々の変形及び変更が可能である。
【００３９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015100090.tif 000004
【図２】
2015100090.tif 000005
【図３】
2015100090.tif 000006
【図４】
2015100090.tif 000007
【図５】
2015100090.tif 000008
【図６】
2015100090.tif 000009